Podtech/llm-jp-corpus-v4-ja_patent huggingface dataset:
(57)【要約】      （修正有）【課題】前方、後方、側面方向より接近する車両に対する反射具があったが、それぞれが個別体として種々な箇所に取り付けられ、煩わしさがあった。【解決手段】夜間、前方向，後方向，側面方向より接近する三方向の車両に対する所在標示の反射板を平面の台部１とそれより直角に突起した部分２を設け、台部表面と突起部分の裏表両面に反射板６，５，４を装着し、一個の反射具に纒めたことを特徴とする。【選択図】  図１
2006298338.tif 000002
【特許請求の範囲】
【請求項１】
平面の台部とそれより直角に突起した部分を設け、台部表面と突起部分の裏表両面にそれぞれ反射板を装着した事を特徴とする自転車用三方向反射具。
【請求項２】
台部と突起部の連結部をゴム又はバネ等復元性のある弾性材とした請求項１の自転車用三方向反射具。
【請求項３】
連結部の弾性材のゴム板を弧状にして復元力を増した請求項１の自転車用三方向反射具。
【発明の詳細な説明】
【技術分野】
【０００１】  本発明は、自転車の荷物篭側面に装着する反射具に関するものである。
【背景技術】
【０００２】  従来、前方、後方、側面方向より接近する車両に対する反射具があったが、それぞれが個別体として種々な個所に取り付けられていた。
【発明の開示】
【発明が解決しようとする課題】
【０００３】  解決しようとする課題は、従来品の場合ばらばらに取り付けなければならない煩わしさがあり、又一般的に前方や側面から接近する自動車に対する反射具が省略される場合が多かった。
【課題を解決しようとする課題】
【０００４】  本発明は、各方向別個体であった反射具を一体にまとめ自転車の前荷物篭に装着出来るようにする事である。また本発明の反射具が装着される前荷物篭側面は自転車の転倒等により破損し易い個所であり、その対策が必要とされる。
【発明の効果】
【０００５】  本発明の反射具は自転車に一個または二個を取り付ける事により夜間前方、後方、側面方向より接近する車両に対して所在表示をして安全向上に役立つものである。
【発明を実施するための最良の形態】
【０００６】  以下、本発明の実施の形態について説明する。
【実施例１】
【０００７】  台部１に、それより直角に突起する突起部２を設け，台部１の表面と突起部２の裏表両面に、それぞれ側面方向反射板６、後方向反射板４、前方向反射板５を装着する。
台部１と突起部２の連結部３は復元力がある弾性材を使用する。
尚、図２  に示すように、連結部のゴム板を若干弧状にする事により、復元力が高められる。自転車への装着に際しては、前荷物篭の側面に取り付ける。【０００８】  自転車の転倒や他物との接触によって本反射具に衝撃や圧迫があった際、弾性体の連結部３は容易に屈曲し突起部２の破損は回避される。その後は復元力により原型に戻る。
【実施例２】
【０００９】  他の実施例として、後方反射板４に鏡板を使用しても良い。この場合反射効果とともにバックミラーとしての役をもたらす。
【図面の簡単な説明】
【００１０】
【図１】本発明の従断面図である。
【図２】本発明の平面図である。
【図３】本発明の自転車前荷物篭への装着状態図である。
【符号の説明】
【００１１】        １  台部
２  突起部
３  連結部
４  後方向反射板
５  前方向反射板
６  側面方向反射板
７  取付けネジ
８  自転車前荷物篭
【図１】
2006298338.tif 000003
【図２】
2006298338.tif 000004
【図３】
2006298338.tif 000005
(57)【要約】【課題】  簡単な構造と単純な足こぎ往復運動により推力を得て進む水上水中連動具を提供する。【解決手段】    推進板の平面部投影面の前縁から面積比率３８±５％となるところに回転軸を設け、この回転軸を駆動軸によって往復運動させて発生する推進板の仰角により推進力を得ることを特徴とする水上水中移動運動具。【選択図】      図１
2006298339.tif 000002
【特許請求の範囲】
【請求項１】
推進板の平面部投影面の前縁から面積比率３８±５％となるところに回転軸を設け、この回転軸を駆動軸によって往復運動させて発生する推進板の仰角により推進力を得ることを特徴とする水上水中移動運動具。
【請求項２】
前記の回転軸取り付位置を、推進板の平面部投影面の前縁から面積比率３３％となるところより、より前縁に近づけ、推進板前縁と駆動軸に設けた張力調節装置とを弾性体でつないだことを特徴とする請求項１に記載の水上水中移動運動具。
【発明の詳細な説明】
【技術分野】
【０００１】  この発明は、推進板の平面部投影面の前縁から面積比率３８±５％となるところに回転軸を設けることによって、水中で推進板に往復運動を加えた際に、回転軸の前後の面積差による水の抗力差と、前縁裏側に発生する乱流による吸引力により、一定の仰角ができ推力が発生することを利用した、水上・水中を移動する運動具に関するものである。
【背景技術】
【０００２】  従来、回転式（スクリュー）やオール・艪などを利用した運動具があった。
また、魚の尾ひれ型や矩形の板状のヒレなどがあったが、最適な仰角を得るための角度制御装置などを必要とした。
【発明の開示】
【発明が解決しようとする課題】
【０００３】  これは次のような欠点があった。
（イ）往復運動を回転運動にかえる構造が複雑になり、重量が重く搬送などが不便であった。
（ロ）運動を伝達する歯車やチェーンがはずれ、推進不能となることがあった。
（ハ）オールや艪などは長いため、重く、操作に熟練を要し、初心者が気軽に扱えるものではなかった。
（ニ）角度制御装置など、余分の装置や構造を必要とした。
（ホ）ヒレの付け根を往復運動の中心とするため、効率が悪かった。
【課題を解決するための手段】
【０００４】  この発明は、推進板の平面部投影面の前縁から面積比率３８±５％となるところに回転軸を設け、駆動軸の一端に中空軸と、逆転防止片を取り付け、中空軸に推進板が自由に回転出来るように回転軸を通し、抜け止めを設け、駆動軸に足踏み用軸を取り付け、その両端に滑り止めを設ける。
駆動軸のもう一方の端を、浮体に設けた方向安定板の後端に取り付けた中空軸に自由に回転できるように通し、抜け止めを設けたものを水上移動運動具とし、また、浮体と方向安定板の代わりに、方向安定板が付いていた中空軸に軸を取付け、その先端に取っ手を兼ねた操舵装置を設けたものを水中移動運動具として使用する。
【発明の効果】
【０００５】  推進板の回転軸を、推進板の平面部投影面の前縁から面積比率３８±５％となるところに設けることで、単純な往復運動による水の抗力差と、前縁裏側に発生する乱流による吸引力を利用して一定の仰角が発生し、角度制御装置などが無い簡単な構成で推力を得ることができるので、人力を他の動力に変えることで、また、推進板の形を魚の尾ビレ型やイルカのヒレ型などに変えることで、玩具から水上水中移動運動具、船舶の推進力として応用範囲が広い。
【発明を実施するための最良の形態】
【０００６】  以下、本発明の実施の形態について説明する。
（イ）図３に示すように、推進板（１）の平面部投影面の前縁（３）から面積比率３８±５％（２）になるところに回転軸（５）を設け、駆動軸（７）の一端に中空軸ａ（８）と、逆転防止片（９）を取り付け、中空軸ａ（８）に推進板（１）が自由に回転出来るように回転軸（５）を通し、抜け止め（６）を設ける。
（ロ）駆動軸（７）に足踏み用軸（１０）を設け、その両端に滑り止め（１１）（１２）を設ける。
（ハ）駆動軸（７）のもう一方の端を、浮体（１３）に設けた方向安定板（１４）の後端に設けた中空軸ｂ（１５）に駆動軸（７）が自由に回転できるように通し、抜け止め（１６）を設ける。
本発明は以上のような構造で、これを使用するときは、図２に示すように、水上において浮体（１３）に上体を乗せ、足踏み用軸（１０）の両端の滑り止め（１１）（１２）の左右に合わせて足を掛け、足踏み用軸（１０）に足踏み往復運動を加えて推進板（１）を往復運動させると、図５に示すように、推進板（１）の往復運動により、回転軸（５）を中心とした前縁（３）側と後縁（４）側の面積差による水の抗力差と、前縁裏の乱流の吸引力によって発生する一定の仰角を利用して、往運動・復運動ともに、白矢印方向への推力を得て水上を移動できる。
また、図６に示すように、浮体（１３）と方向安定板（１４）の代わりに中空軸ｂ（１５）に軸（１７）を取付け、軸（１７）後端にトルク軽減兼方向安定板（２２）を取り付け、その先端に取っ手を兼ねた操舵装置を取り付けて水中運動具として使用することもできる。
また図７に示すように、回転軸（５）を平面部投影面の前縁から面積比率３８±５％の位置から、より前縁（３）に近づけ、逆転防止片（９）の代わりに、推進板（１）の前縁（３）にカギ状の突起（１８）を設け、駆動軸（７）にもカギ状の突起（１９）の付いた張力調整装置（２１）を設け、この間をゴムやスプリングなどの弾性体（２０）でつなぎ、弾性体（２０）の張力を張力調整装置（２１）で調整して往復運動時の最適仰角を得るとともに、逆転防止、反転のスピードアップ、静止時の推進板（１）の固定などをはかることもできる。
とくに，図８に示すように、推進板が魚の尾ビレ型の場合、前縁裏の乱流の吸引力が弱いため、上記方法が有効である。
【図面の簡単な説明】
【０００７】
【図１】  本発明の斜視図
【図２】  本発明の実施例を示す図
【図３】  本発明の推進板の回転軸の取付位置を示す図
【図４】  本発明の推力発生部の詳細図
【図５】  本発明の推力発生原理を示す図
【図６】  本発明の他の実施例を示す斜視図
【図７】  本発明の他の実施例を示す斜視図
【図８】  本発明の他の実施例を示す斜視図
【符号の説明】
【０００８】      １  推進板
２  推進板平面部投影面積の前縁から面積比率３８±５％の線
３  推進板の前縁
４  推進板の後縁
５  回転軸
６  抜け止め
７  駆動軸
８  中空軸ａ
９  逆転防止片
１０  足踏み軸
１１  滑り止め
１２  滑り止め
１３  浮体
１４  方向安定板
１５  中空軸ｂ
１６  抜け止め
１７  延長軸
１８  カギ状の突起
１９  カギ状の突起
２０  弾性体
２１  張力調整装置
２２  トルク軽減兼方向安定板
【図１】
2006298339.tif 000003
【図２】
2006298339.tif 000004
【図３】
2006298339.tif 000005
【図４】
2006298339.tif 000006
【図５】
2006298339.tif 000007
【図６】
2006298339.tif 000008
【図７】
2006298339.tif 000009
【図８】
2006298339.tif 000010
(57)【要約】【課題】  前輪、後輪を活用しつつもう１つの車輪を、新たに地面と接する為に加える、と云う本件発明は本件分割元「平成１１−３３３２０４」の請求項１の制限によらずとも、１個の発明として存立基盤があると思い分割しました。  本発明は、この追加意見、論点を解決するためになされたものである。    【解決手段】    折り畳み式自転車を入れる自転車袋であって、両輪の下部ともう１つの車輪が、その自転車袋から出ていることを特徴とする、自転車袋。  本発明は、以上の構成よりなる「簡易持ち運び用折畳み式自転車及び自転車袋」である。  【選択図】              図１
2006298373.tif 000002
【特許請求の範囲】
【請求項１】
折り畳み式自転車を入れる自転車袋であって、両輪の下部ともう１つの車輪が、その自転車袋から出ていることを特徴とする、自転車袋。
【発明の詳細な説明】
【技術分野】
【０００１】
この発明は、従来、折畳み式自転車袋が自転車をなるべく小さく畳んで、軽便にして運ぼうとしていたのを、両輪を自転車袋から出すことにより、引っ張る感覚でスムーズに運ぶ技術に関するものである。
【背景技術】
【０００２】
従来、折畳み式自転車袋は自転車をなるべく小さく畳んで、軽便にして運ぼうとしていたが、現実には自転車はアルミ製の軽いものでも１０キロ強あり、そう軽快に運べるものではなかった。自転車をこんなに小さく畳めるという、いわばコマーシャル的な要素で持ってカタログなどに写真が載っているが、そうは簡単には運び得ないというのが折畳み式自転車袋の現状である。現実に、折畳み式自転車が１０台売れても、それを入れる袋の方は１袋も市場には出てはいないであろう。
【発明の開示】
【発明が解決しようとする課題】
【０００３】
自転車は、本来それに又がって運転するのが最も容易な移動方法であり、言い方を変えれば、それ自体の運搬方法である。ここで、又がって運転できない場合、たとえば自動車、船、飛行機、などに乗って移動する場合の為に、折畳み式自転車袋が有るのだが、従来、自転車はアルミ製の軽いものでも１０キロ強あって、そう軽快に運べるものではなく、これは旅行先でも自転車を楽しみたいと願う人々にとって、一つの欠点であると言えよう。本発明は、この欠点を解決するためになされたものである。
【課題を解決するための手段】
【０００４】
まず、折り畳み式自転車の、折り畳み点（７）を２ヶ所にし、前輪（１）と後輪（２）の中心を揃えて平行に折り畳めるようにして、折り畳んだあとその状態で固定（１２）できるようにする。また、この際折り畳みの中心となる区域にハンドル（３）を差し込む筒（５）をもう１本用意する。この筒（５）は、上からはハンドル（３）を差し込んで折り畳んだあとの自転車を操作する助けとなり、それと連動する形で、下からは折り畳んだあとの自転車を安定させるため、もう１つの車輪（６）を出すものとする。こうして、自転車を折り畳んだあとでも、軽く押すか引くかするだけで移動できるようにして、その廻りを両輪（１、２）と前に作った車輪（６）を外に出して、ナイロン等でカバーし自転車袋（１１）とする。本発明は、以上の構成よりなる簡易持ち運び用折畳み式自転車及び自転車袋である。
【発明の効果】
【０００５】
本発明を使用することによって、世のサイクリストたちは、自転車を運ばねばならないとき、これまでの１０キロ以上の自転車をもって、移動しなければならなかったのに比べて、サイクリングと同様の気楽さでもって自転車をともなったウオーキングを楽しむことができる。また、本発明はスーツケースを運ぶ際の車輪つきの台車とある意味で似ているが、決定的に違うのは、実際に自転車を、その本来の目的に使用する際、車輪等ほとんど始めから有ったものを使用しているので、いっさいの不自由、押して運ぶ時は必要だが乗る際には邪魔になる、すなわち不要な物を最小限に押さえてサイクリングを楽しむことができる、という点である。
【発明を実施するための最良の形態】
【０００６】
以下、本発明の実施の形態を説明する。まず、折り畳み式自転車の、折り畳み点（７）を２ヶ所にし、前輪（１）と後輪（２）の中心を揃えて平行に折り畳めるようにして、折り畳んだあとにフレームか車輪の中心部で前輪（１）と後輪（２）を平行な状態に固定化（１２）して安定させる。この状態で、前輪（１）と後輪（２）は互いに固定化（１２）するが、地面に対して固定化するわけではないので、２本のタイヤは揃って回転するということになる。それから、この際、従来の方式では、折り畳みの支点（７）が１ヶ所であったが、１ヶ所にすると前輪（１）と後輪（２）がＶ字型となり平行とはなり得ず、すなわち折り畳んだあと自転車が動きにくくなるので、支点（７）は２ヶ所とする。また、今度はその２ヶ所の支点（７）の間にハンドル（３）を差し込む筒（５）をもう１本用意する。この筒（５）は、上からはハンドル（３）を差し込んで折り畳んだあとの自転車を操作する助けとなり、それと連動する形で、下からは折り畳んだあとの自転車をさらに安定させるため、もう１つの車輪（６）を出すものとする。ここで、ハンドル（３）と車輪（６）の軸は筒（５）の中で噛合っており（１０）、折り畳んだあとでも、ハンドル（３）で車輪（６）を操れることとなる。図では、筒（５）は中心部から真直ぐ下におりた場合を示しているが、ハンドル（３）の押し引きの使用状況によって、斜めになってもよいし、その位置をサドル（４）と供用としてもよい。すなわち、本発明では、自転車を折り畳んだあとでも、自転車は単なる荷物になってしまうのではなく、軽く押すか引くかするだけで移動できる機能を持ったまま、運びやすいサイズとなるのである。最後に、自転車を両輪（１、２）と前に作った車輪（６）を外に出したまま、ナイロン等で作った袋に入れ自転車袋（１１）とする。
【図面の簡単な説明】
【０００７】
【図１】簡易持ち運び用折畳み式自転車の平面図
【図２】新たに差し込む筒の拡大図
【図３】簡易持ち運び用折畳み式自転車及び自転車袋の図
【符号の説明】
【０００８】
１ 前輪
２ 後輪
３ ハンドル
４ サドル
５ 筒
６ 車輪
７ 折れ曲がり点
８ ブレーキ
９ ネジ
１０ 金属軸の噛合せ
１１ 簡易持ち運び用折畳み式自転車袋
１２ 前輪と後輪を連結する管
【図１】
2006298373.tif 000003
【図２】
2006298373.tif 000004
【図３】
2006298373.tif 000005
(57)【要約】    【課題】      キャノピの柱の強度を向上させ、かつ柱の歪みを最小限に抑えることができる構造を提供しようとする。    【解決手段】  異型鋼管4の外側に補強部材5を接続させて柱部2を形成させ、該柱部2に天井板3を接続させてキャノピを形成させた。【選択図】        図１
2006298237.tif 000002
【特許請求の範囲】
【請求項１】
異型鋼管の外側に補強部材を接続させて柱部を形成させ、該柱部に天井板を接続させてキャノピを形成させたことを特徴とする建設機械のキャノピ構造。
【発明の詳細な説明】
【技術分野】
【０００１】
この発明は、建設機械のキャノピ構造に関する。
【背景技術】
【０００２】
従来の建設機械のキャノピは、各壁を形成する合わせ板の一方または双方を外方に膨らませて中空部を形成し、その中空部を柱（ピラー）とする構造が主流であった。
【０００３】
しかし、近年、搭乗者保護の観点からキャノピの強度向上が要請され、特開平９−２５６４８号公報（特許文献１）や特許第３４７４４１７号公報（特許文献２）において、柱を補強する構造が提案されている。図４は特開平９−２５６４８号公報に開示された一例であり、柱6内に鋼管7（または棒鋼）を配置させている。また図５は特許第３４７４４１７号公報に開示された一例であり、柱8内に曲折状板部材9を配置させている。
【０００４】
【特許文献１】特開平９−２５６４８号（図２〜４、図８、図１１）
【特許文献２】特許第３４７４４１７号（図２〜５、図１０〜１４）
【発明の開示】
【発明が解決しようとする課題】
【０００５】
しかし、これらの補強構造は、合わせ材を接合した柱を基礎とすることによる強度向上の限界があることに加え、補強部材の接合工程に起因する理由によって、キャノピに過重がかかった際、柱に生じる歪みを最小限に抑えることが困難となっている。すなわち、補強部材の配置は、まず補強部材を、柱を形成する一の合わせ材（例えばアウタパネル）と接合させた後、補強部材を挟むように他方の合わせ材（例えばインナパネル）を前記一の合わせ材に接合することで行う。ここで、他方の合わせ材の接合時においては、加工誤差や溶接歪みを考慮して、補強部材との間にある程度の間隙（各図中、ｓで示す）を設ける必要がある。しかし、この間隙があることによって、キャノピに過重がかかった際、間隙の分だけ柱に歪みが生じてしまうのである。
【０００６】
この発明は、従来技術の以上のような問題に鑑み創案されたもので、キャノピの柱の強度を向上させ、かつ柱の歪みを最小限に抑えることができる構造を提供しようとするものである。
【課題を解決するための手段】
【０００７】
このため、この発明に係る建設機械のキャノピ構造は、異型鋼管の外側に補強部材を接続させて柱部を形成させ、該柱部に天井板を接続させてキャノピを形成させたことを特徴とする。
【０００８】
ここで、前記異型鋼管とは、鋼管を加圧等の加工をして、断面形状を円以外の所定形状にしたものをいう。
【０００９】
本発明は、柱部の構成部材として異型鋼管を用いているので、それだけで強度が向上しているが、その外側に補強部材を接続させて柱を形成させているので、強度がさらに向上する。また、異型鋼管の外側に補強部材を接続させて柱を形成させる構造のため、部材間に間隙を生じさせる余地がなく、従来のような間隙による歪みが生じるおそれもない。
【発明の効果】
【００１０】
以上説明したように、本発明によれば、キャノピの柱の強度が向上し、また従来のような柱に歪みが生じるというおそれもない。
【発明を実施するための最良の形態】
【００１１】
本発明の具体的実施形態の一例を図面に基づき説明する。なお、以下の形態例は本発明を具現化した一例に過ぎず、本発明がそれに限定されるものではないことは当然である。
【００１２】
図１は油圧ショベルのキャノピに適用された一例であり、同図(a)はキャノピ全体の説明図、(b)は柱部の断面図である。
【００１３】
図示のように、本形態例は、４本の柱部としての柱2で四角を形成させ、それらの柱2の上部に天井板3を接続させてキャノピ1を形成させている。
【００１４】
前記柱2は、いずれも同図(b)に示すように、鋼管を加圧変形させた異型鋼管4の外部に、補強部材5を接続させている。補強部材5は、図示のように断面Ｌ字状の曲折鋼板よりなる。異型鋼管4は両端4a,4bが突出するように中央部が凹む形状に加圧され、その両端4a、4b部に前記補強部材5の端部が接続されて、異型鋼管4の凹み部を覆う形態となっている。この接続により、異型鋼管4と補強部材5とが一体となって柱2を形成している。なお、異型鋼管4の凹み部はキャノピ1の内側に位置することになるので、補強部材5は外側からは露見せず、キャノピ1の美観が阻害されることはない。また、オペレータの視界を妨げることもない。
【実施例】
【００１５】
本形態例の構造によって、どの程度の強度が向上するのかを断面係数を解析した試験結果で示す。図２に示すように、キャノピの前後方向（Ｘ方向）と左右方向（Ｙ方向）のそれぞれの断面係数を解析した。比較のため、図３に示すような前記異型鋼管4のみ用いて前記補強部材5を用いていない柱の構造についても解析した。解析結果は次のとおりである。
【００１６】
Ｘ方向：  実施形態例５１７６６３．３０、比較例１６６９８５．８７
Ｙ方向：  実施形態例７８３２５９．１６、比較例５５８７５７．６３
【００１７】
上記表に示すように、本形態例はキャノピの前後方向（Ｘ方向）と左右方向（Ｙ方向）のいずれの方向の断面係数も格段に向上していることが示されている。
【産業上の利用可能性】
【００１８】
この発明は、キャノピを備える建設機械に適用可能である。
【図面の簡単な説明】
【００１９】
【図１】本形態例の説明図であり、(a)はキャノピ全体の説明図、(b)は(a)中の柱のＡ−Ａ断面図である。
【図２】断面係数の解析に用いた形態例を示した断面図である。
【図３】断面係数の解析に用いた比較例を示した断面図である。
【図４】特開平９−２５６４８号に開示される柱の断面図である。
【図５】特許第３４７４４１７号に開示される柱の断面図である。
【符号の説明】
【００２０】
1          キャノピ
2          柱（柱部）
3          天井板
4          異型鋼管
5          補強部材
【図１】
2006298237.tif 000003
【図２】
2006298237.tif 000004
【図３】
2006298237.tif 000005
【図４】
2006298237.tif 000006
【図５】
2006298237.tif 000007
(57)【要約】      （修正有）【課題】宝くじのスクラツチ等は当り文字、絵等を隠す為め、塗装膜が張つてあり、削り剥離するときにでる剥離カスは静電気も起き、汚れ散らかり掃除が非常に面倒である。剥離カスが散らからない剥離具を提供すること。【解決手段】本体１に塗装膜を剥離対象の用紙挿入のためのスリット５を設ける。間隔８を付け剥離用紙挿入を簡単にし、凹４溝の上部本体と下部本体をつまみ、押える事で剥離刃６と剥離刃受け台７が合わさり、押えはさみ、剥離用紙を引き抜く。塗装膜は剥離カスが外に出ない為の仕切３りにより剥離カス、ゴミの溜溝２に溜り、本体１より外に出ず、散らない。携帯用リング穴９を設け、ストラッツプ、リング等を取り付け携帯ができる。【選択図】図１
2006298641.tif 000002
【特許請求の範囲】
【請求項１】
宝くじのスクラツチ等に使われている、当り文字、絵を隠す為塗装膜が張つて有り、削り剥離しながら、削り剥離カスを溜め汚れ散らかさ無い様に本体▲１▼に▲５▼のスリットを付け、▲８▼の隙間を設ける
本体▲１▼に▲６▼剥離刃と▲７▼剥離刃受け台▲３▼剥離カス、ゴミが外に出ない為の仕切り、▲２▼剥離カス、ゴミの溜溝を上部、下部に設ける。
▲４▼剥離する為に、つまみ、押える凹溝、▲９▼携帯用リング、ストラッツプを付け本体▲１▼に▲５▼▲８▼▲６▼▲７▼▲３▼▲２▼▲４▼▲９▼を設け、削り剥離カスが散らかり出ない様にした器具である。
【発明の詳細な説明】
【発明の詳細な説明】
【産業上の利用分野】
【０００１】この発明は、自冶宝くじ発行のスクラッチ券等の当り文字、絵を隠す為、塗装膜が張って有るが、削る方法と剥離する時に出る、剥離カス、ゴミに関するものである。
【背景技術】
【０００２】従来より、削り剥離する方法として、硬貨、プラスチックの角、円の一点を使用するため、コスリ削り剥離する巾も狭く、削り剥離した削り剥離カスは、そのまま散らかっている。
【発明が解決しようとする課題】
【０００３】これは次のような欠点があった。
（イ）従来は簡単な専用器具になるものが見当たらなく、主に硬貨の角、円の一点を使用するため、コスリ削る巾が狭い。
（ロ）硬貨の角を使用するため、多数量、多数枚を削り剥離する事が非常に面倒であり、多数量、多数枚の販売を妨げる。
（ハ）削り剥離された、カス、ゴミは静電気等が起き散らかり掃除がめんどうである。
本発明は、これらの欠点を除くためになされたものである。
【課題を解決するための手段】
【０００４】本体▲１▼に▲５▼のスリットを付け、▲８▼のすき間をつける
本体▲１▼に▲６▼剥離刃と▲７▼刃受け台▲３▼の仕切りを取り付け▲２▼カス、ゴミの溜溝を作る、本体▲１▼に▲６▼▲７▼▲３▼▲２▼を設けたことを特徴とした、剥離カスの「ごみでな〜い」である。
【作用】
【０００５】▲１▼本体をにぎり、削り剥離する場所を挿入▲４▼押えながら▲６▼剥離刃と▲７▼剥離刃受け台を合わせる、剥離巾は必要剥離巾分差込み引き抜く事を数回繰り返すことで可能、剥離長さは宝くじのスクラッチ用紙の長い方の５５％が一度で処理可能、左右返す事で１１０％削り剥離でき、削り剥離するスクラッチ用紙を左右返す事で▲１▼本体も小型化出来る。
【実施例】
【０００６】以下、本発明の実施例について説明する。
▲１▼の本体上部に▲６▼剥離刃と下部に▲７▼剥離刃受け台を取り付け各本体に▲２▼剥離カス、ゴミの溜溝を設け、剥離用紙が挿入しやすいよう▲５▼のスリットをつけ、▲３▼剥離カス、ゴミが外に出ない為の仕切りにより▲５▼▲８▼より剥離用紙を挿入、▲１▼本体をにぎり▲４▼を押え挟みながら、数回差込み、引き抜くことで、塗装膜を削り剥離したカス、ゴミを▲２▼の剥離カス、ゴミ溜溝に溜めることができる。
▲９▼の携帯用リング取り付け穴にストラッツプ、リング等を付け携帯することが出来る。
【発明の効果】
【０００７】（イ）硬貨を硬貨の本来の目的外に使用しないで済む
（ロ）削った後の剥離カスが出ないので清掃の必要が無く場所を選ばないで削り剥離が出来て、清潔である
（ハ）小型、軽量、安い価格の為、キイホルダー等に取り付け携帯いつも持つていることが出来て使用後は、破棄できる。
【図面の簡単な説明】
【図１】本発明側面の斜視図。
【図２】本発明上部内側の斜視図。
【図３】本発明下部内側の斜視図。
【符号の説明】
▲１▼本体
▲２▼剥離カス、ゴミの溜溝。
▲３▼剥離カス、ゴミが外に出ない為の仕切り。
▲４▼剥離する為に、つまみ、押さえる凹溝。
▲５▼剥離紙挿入の為のスリット。
▲６▼剥離刃。
▲７▼剥離刃受け台。
▲８▼剥離紙挿入の為の間隔。
▲９▼携帯用（ストラッツプ）リング取り付け穴。
【図１】
2006298641.tif 000003
【図２】
2006298641.tif 000004
【手続補正書】
【提出日】平成17年7月11日(2005.7.11)
【手続補正２】
【補正対象書類名】図面
【補正対象項目名】全図
【補正方法】変更
【補正の内容】
【図１】
2006298641.tif 000005
【図２】
2006298641.tif 000006
【図３】
2006298641.tif 000007
(57)【要約】【課題】  紙袋に水で固まる物質（高分子吸収体）を入れた生ゴミ袋を提供する。【解決手段】  紙袋の中に高分子吸収体を入れ、ふたに両面テープを装着したことを特徴とする生ゴミ袋である。【選択図】    図１
2006298640.tif 000002
【特許請求の範囲】
【請求項１】
紙袋の中に水で固まる物質（高分子吸収体）を入れ生ゴミの出す臭気、湿気を固めて除去することを特徴とする生ゴミ袋。
【発明の詳細な説明】
【技術分野】
【０００１】  本発明は、紙袋に水で固まる物質（高分子吸収体）を入れた固まる生ゴミ袋に関するものである。
【背景技術】
【０００２】  従来は、生ゴミを捨てる時、湿気と臭気があり衛生的に悪かった。
【発明の開示】
【発明が解決しようとする課題】
【０００３】  この衛星面の悪さをなくすために、紙袋に高分子吸収体を入れ生ゴミを固めることにより湿気と臭気をなくし衛生的にし焼却ゴミとして出せるようにしたものである。
【課題を解決するための手段】
【０００４】  本発明は、衛生的な生ゴミ袋にするためにつぎのような手段を発見した。
紙袋において、その中に高分子吸収体を入れる。
両面テープでふたをする。
以上を特徴とする生ゴミ袋である。
【発明の効果】
【０００５】  紙袋に生ゴミを入れるとその湿気で高分子吸収体が固まり臭気がなく衛生的に生ゴミを焼却ゴミとして捨てることができる。
【発明を実施するための最良の形態】
【０００６】  以下、本発明の実施の形態について説明する。
（イ）紙袋（１）の中に高分子吸収体（２）を入れる。
（ロ）ふたに両面テープ（３）を貼る。
本発明は以上のような構成で、これを使用するときは、紙袋（１）を開け生ゴミを入れて、両面テープ（３）で、ふたを閉じる。
この時、高分子吸収体（２）により、生ゴミが固まる。
【図面の簡単な説明】
【０００７】
【図１】  本発明の傾斜図
【図２】  本発明の正面図
【図３】  本発明の実施例を示す傾斜図
【符号の説明】
【０００８】  １  紙袋
２  高分子吸収体
３  両面テープ
【図１】
2006298640.tif 000003
【図２】
2006298640.tif 000004
【図３】
2006298640.tif 000005
(57)【要約】【課題】  家畜の糞尿の処理費用を軽減させる。【解決の手段】  家畜の糞尿を有機性の肥料に再生する。【選択図】  図１
2006298739.tif 000002
【特許請求の範囲】
【請求項１】
家畜の糞尿１トン当たり植物性セルロースを主原料とする吸水剤を１〜５０ｋｇと、炭素系脱臭剤を１〜５０ｋｇと、甲殻類の粉末を適宜加えて後、自然界における有益細菌によって発酵させることによって生成した有機性肥料。
【発明の詳細な説明】
【発明の詳細な説明】
【技術分野】
【０００１】  この発明は従来廃棄物として処理される家畜の糞尿より有機性の肥料を生成する再生処理肥料に関するものである。
【背景技術】
【０００２】  従来家畜の糞尿は野積みされて時間の経過と共にそれが堆肥化されるのを待つか、少しずつ田畑に蒔いて肥料としていた。しかしここにきて、野積は環境上の問題より禁止の方向となってきた。家畜業者は毎日排出される家畜の糞尿を建屋内で保管して処理するか、又は産業廃棄物として処理業者に委託しなければならなくなってきた。
【発明が解決しようとする課題】
【０００３】  本発明は上記の環境上の問題より建屋内で保管処理又は産業廃棄物処理業者に委託処理を任せると、いずれも多大な経費を連続して支払い続けねばならず、家畜によって生計を立てている者にとっては死活問題化してきた点に鑑みて成したものである。
従って本発明は家畜の育成業者が有効に糞尿処理費用を活用出来ることを提供しようとするものである。
【課題を解決するための手段】
【０００４】  従来の野積方式による堆肥化が禁止されることによって多大な処理費用が発生するため、家畜業者は採算性が非常に悪くなっていたが、毎日排出される糞尿はうまく活用すれば農作物にとっては自然的な有機性肥料として価値の高いものに変りうる。この点に着目し毎日排出される家畜の糞尿を肥料に変えうることによって上記の問題を解決することが出来る。糞尿を肥料に変えうるためには糞尿の水分を制御し腐敗を防止しつつ発酵を促進させ、又肥料としての成分を適正なものとし、且、発酵促進中臭気を出来る限り抑制させることが必要である。
【発明を実施するための最良の形態】
【０００５】  以下本発明の実施の形態について説明する。図１は糞尿に対する混合物を表す説明図である。１の糞尿１トン当たり植物性セルロースを主体とする吸水剤２を糞尿の含水率によって１〜５０ｋｇ、炭素系脱臭剤３を１〜５０ｋｇと甲殼類の粉末４を適宜混入して混ぜ合せた後、発酵工程に入る。図２は発酵中の混合物であり、やがて細菌（バクテリア）によって分解されて、自然の有機性肥料が出来る。これは化学肥料と異なり自然にとっても又この肥料より育成される野菜，果物を食する人間にとっても大変有益であり、又家畜業者にとっても不要の糞尿が肥料として再生することによって有価物となり、採算性が頗る向上することになる。【０００６】  本発明は以上により構成される。
【発明の効果】
【０００７】  本来は費用をかけて処理しなければならない家畜の糞尿を肥料にすることによって有価物として再生することによって、処理費用を回収することが出来るため家畜の飼育によって成す業の採算性が頗る良くなり大きな効果を生む。
【図面の簡単な説明】
【図１】  本発明の糞尿への混合物の説明図である。
【図２】  発酵中の混合物の状態を示す説明図である。１………糞尿  ２………植物性セルロースを主体とする吸水剤  ３………炭素系脱臭剤  ４………甲殼類の粉末
【図１】
2006298739.tif 000003
【図２】
2006298739.tif 000004
(57)【要約】      （修正有）【課題】  店頭陳列上好適で、かつ、ポリ袋を収納体から１枚宛確実、簡単に取り出せるポリ袋収納体を提供する。【解決手段】  周側面に開口用のミシン目ａを設けた樹脂製内袋１に、多数のポリ袋ｂ，…を上下に重ね合せて折り畳んで収容して密封体１Ａを構成する。該密封体１Ａを収納した厚紙製包装箱２の、前記ミシン目ａが臨む直上位置に、ポリ袋取出口形成用のミシン目ａ´で囲んだ区画部５を設ける。【選択図】  図１
2006298416.tif 000002
【特許請求の範囲】
【請求項１】
周側面に開口用のミシン目を設けた樹脂製内袋に、多数のポリ袋を上下に重ね合せて折り畳んで収容して密封体を構成し、該密封体を収納した厚紙製包装箱の、前記ミシン目が臨む直上位置に、ポリ袋取出口形成用のミシン目で囲んだ区画部を設けた、ポリ袋収納体。
【発明の詳細な説明】
【技術分野】
【０００１】
本発明は、野菜の保存や魚等の冷蔵或はお菓子等の小分け等々種々の用途目的の有るポリ袋の収納体に関するものである。
【背景技術】
【０００２】
前記の所謂多目的ポリ袋は、多数積層して、外装袋体に収納して店頭に置かれ、前記外装袋体を開口して１枚宛引き出して前記の保管用や或いはごみ袋等として用いられ、外装袋体に収納されたまま台所等で横積み状態とされているのが一般である。
【発明の開示】
【発明が解決しようとする課題】
【０００３】
前記従来例の場合は、ポリ袋を収納した外装袋体をいわば山積み状態にして店頭に置かれていたので、袋体同士が滑り易く、山積みが容易に崩落するおそれがあり、また、使用時には開口した外装袋体から引き出すため、１枚宛取り出すに煩雑さが伴う。
【０００４】
本発明は斯様な従来例の欠点に着目して創案したものである。
【課題を解決するための手段】
【０００５】
周側面に開口用のミシン目を設けた樹脂製内袋に、多数のポリ袋を上下に重ね合せて折り畳んで収容して密封体を構成し、該密封体を収納した厚紙製包装箱の、前記ミシン目が臨む直上位置に、ポリ袋取出口形成用のミシン目で囲んだ区画部を設けた構成とするのである。
【発明の効果】
【０００６】
本発明によれば、内袋にポリ袋を収納して得た密封体を包装箱内に収納するだけで包装箱にポリ袋を積層状態で収納できるから、積層状態にしたポリ袋を包装箱内に収納するのと較べ、確実に、かつ、簡単にその作業を行うことができる。
【０００７】
また、ポリ袋は密封状態におかれるから、包装箱内に侵入した虫（殊に、ゴキブリ）がポリ袋内に侵入することもなく、包装箱を用いた収納体として商品的に清潔なポリ袋を提供できる。
【０００８】
もとより、積層状態にして箱内に収納したものであるから、一枚宛確実に取り出せ、使用勝手の良好なポリ袋収納体を提供できる。
【実施例】
【０００９】
図面は本発明に係るポリ袋の収納体の一実施例を示し、図１は内袋と包装箱の関係を示す分解斜視図、図２はポリ袋を引き出した状態の斜視図、図３はポリ袋を引き出した状態の拡大断面図である。
【００１０】
図中、１は樹脂製内袋で、樹脂製内袋１は相対する周側面に形成した開口用のミシン目ａを備え、上下方向に重ね合せて折り畳んだ多数のポリ袋ｂ，…を収容して密封体１Ａを構成するものである。
【００１１】
密封体１Ａは、ポリエチレンシート体で成る筒状体に、該筒状体を扁平にしてその長手方向（開口端間）に沿う中央部に前記開口用のミシン目（ミシン目に沿って分断して内袋１を開口するためのミシン目）ａを設ける一方、多数のポリ袋ｂ，…を重ね合わせ、重ね合わせた該多数のポリ袋ｂ，…を更に三層状に折り畳み、該折り畳んだ状態の多数のポリ袋ｂ，…を別途用意し、該ポリ袋ｂ，…を前記ミシン目ａを設けた前記筒状体内に嵌装して筒状体の両端をヒートシールして構成したものである。この結果、ミシン目ａはポリ袋ｂ，…を介する内袋１の相対する周側面（上下の両側面）に位置し、内袋１をミシン目ａに沿って分断して開口するとき、ヒートシール部６によってその分断は規制され、該内袋１によるポリ袋ｂ，…の保持は保たれる。
【００１２】
そして、密封体１Ａは、該密封体１Ａを構成する樹脂製内袋１に設けた前記ミシン目ａが上面に位置するように厚紙製包装箱２内に収納し、該厚紙製包装箱２の上壁構成片３には前記ミシン目ａが臨む直上位置にしてポリ袋取出口４形成用のミシン目ａ´で囲んだ区画部５を設けてある。
【００１３】
厚紙製包装箱２は、厚紙を常法によって片抜きしたシート体を折り目に沿って折曲して必要個所を糊付けして角筒体を得、該角筒体に前記密封体１Ａを嵌装して両端開口部を閉塞して糊付けして密封して構成したものである。すなわち、前記角筒体２Ａの開口端の四側に突設した上、下部片２ａ，２ｂと左右の側部片２ｃ，２ｃの内、左右の側部片２ｃ，２ｃを折り返し、次いで、下部片２ｂを折り返して折り曲げ済の前記側部片２ｃの外側に重ね合わせた後、上部片２ａを折り返して糊を塗布した前記下部片２ｂに重ね合わせると同時に、上部片２ａの自由端に設けた舌状部片２ａ´を、前記下部片２ｂの基端中央に設けたスリット７に挟挿することにより、密封体１Ａは包装箱２内に収納密封されるのである。
【００１４】
前記の区画部５は、前記ミシン目ａ´で取り囲んで構成し、ミシン目ａ´に沿って該区画部５を上壁構成片３から分離することにより当該分離した部分に前記ポリ袋取出口４が形成されるようにしてあるが、ミシン目ａ´を部分的に残して該残した部分をヒンジ部として区画部５部分を蓋片として構成するようにしても良く、斯様な意味合いで区画部５はミシン目で部分的に囲んで構成するものであっても良く、要は、前記取出口５が形成されるようにミシン目が形成してあれば良い。
【００１５】
ミシン目ａ´に沿って前記上壁構成片３を部分的に分断して得られる前記取出口４は長孔状を成し、その長手方向は前記樹脂製内袋１に設けたほぼ直線上に連続するミシン目ａに沿わせて位置させてある。
【００１６】
しかして、包装箱２内に密封体１Ａを収納した状態で店頭に陳列され、使用時には、ミシン目ａ´に沿って上壁構成片３（包装箱２）を分断して取出口４を形成し、該取出口４に臨んだ直下に位置するミシン目ａを適量分断することによって内袋１内は外界と連通し、取出口４とミシン目ａを切断して得た内袋１の開口部を通じて内袋１内のポリ袋ｂを１枚宛順次取り出すようにして用いるのである。
【図面の簡単な説明】
【００１７】
【図１】内袋と包装箱の関係を示す分解斜視図。
【図２】ポリ袋を引き出した状態の斜視図。
【図３】ポリ袋を引き出した状態の拡大断面図。
【符号の説明】
【００１８】
１          樹脂製内袋
１Ａ        密封体
２          厚紙製包装箱
５          区画部
ａ，ａ´    ミシン目
【図１】
2006298416.tif 000003
【図２】
2006298416.tif 000004
【図３】
2006298416.tif 000005
(57)【要約】【課題】息継ぎを回避して、入れ物にこぼれることなく容易に注ぐことができる容器を提供する。【解決手段】排出量が変動する原因となる息継ぎを、空気抜き管を容器の底部から排出口まで装着することにより、また取手を空気抜き口が排出口の真上にくるように配して空気が溜まることなく、排出量が滑らかに安定した注ぎ方ができる容器。【選択図】図１
2006298480.tif 000002
【特許請求の範囲】
【請求項１】
排出する量が変動する原因となる息継ぎを回避するため、空気抜き管を容器の底部から排出口まで装備して、かつ空気抜き口の位置が排出口の上部に位置するように取手を配置することにより、排出時に息継ぎしない容器
【発明の詳細な説明】
【技術分野】
【０００１】  本発明は，容器の底部から取手を介して排出口まで通じている息継ぎを回避する空気抜き管を装備した容器である。
【背景技術】
【０００２】  ペットボトルなどの容器で中身が満杯状態時にあるとコップなどの入れ物に注ぎ始める時は、排出量が変動して、注ぎ場所を上手く調整できずにこぼれてしまうことがある。
【発明の開示】
【発明が解決しようとする課題】
【０００３】  中身が満杯状態時にある容器から注ぎ始める時は、容器内の息継ぎが生じるために排出量が変動している。
（１）息継ぎは容器を逆さにすることで、容器の底の部分に溜まっている空気が外に出ようとするために生じる。
（２）空気が断続的に出るため、排出量も不規則となり、排出の調整が難しい。
本発明は、これらの問題点を解決するためになされたものである。
【問題を解決するための手段】
【０００４】  原因となる息継ぎを回避するために、空気抜き管を容器の底部から排出口まで装着した。この方法で、排出時の空気がこの管を通して外に逃げるため、息継ぎが回避された。
空気抜き管の出口に当たる空気抜き口が排出口の下部にあると、排出液で塞がれ空気が抜けず息継ぎが起きてしまう。このため、排出部での排出口と空気抜き口との位置関係は、排出口が下で空気抜き口が真上になければならない。
この位置関係を排出時に簡単に条件的に満たすために、空気抜き口が上部にくるように取手を配備した。この処置で、取手を持って注ぐやり方で息継ぎが容易に回避できるようになった。
息継ぎが無くなり排出時間が早くなり、また取手の傾ける角度により排出する量が容易に調整できるので、正確に注ぎ入れる操作が可能となった。
【発明の効果】
【０００５】    本考案の空気抜き管を装備した容器を使用すれば、息継ぎが回避できるので排出する量が安定する。また、排出量は取手で容器の傾斜角度を変えることで容易に調整可能となり、正確に注ぎ入れる操作が可能となる。
【発明を実施するための最良の形態】
【０００６】  以下、本発明の実施の形態を説明する。
（イ）容器（１）の底部から取手（４）を介して排出口（２）まで通じている息継ぎを回避する空気抜き管（３）を装備する。
（ロ）空気抜き口（５）は、取手（４）を持ち傾けると排出口（２）の真上にくるように配備した。
本発明は以上のような構成で、これを使用するときは、取手をつかみ、注ぎ入れるものに対して直角に配するようにして傾けて、入れ物に注ぐ。
この時、空気抜き口が排出口の真上になり、息継ぎが起こることなく滑らかに排出することができる。
排出量は取手で容器の傾斜角度を変えることで容易に調整可能となる。
化学薬品等の危険な液体も注ぎ入れる操作が正確にでき、飛散させることなく、希望の量を安全に作業が行える。
【図面の簡単な説明】
【０００７】
【図１】本発明の側面図
【図２】本発明の上面図
【符号の説明】
【０００８】１    容器
２    排出口
３    空気抜き管
４    取手
５    空気抜き口
【図１】
2006298480.tif 000003
【図２】
2006298480.tif 000004
(57)【要約】【課題】本発明は慶弔事にお金を渡す際、メッセージも同時に添える機能を果たす祝儀不祝儀袋を提供する。【解決手段】カード形式のようになっており、カードを開き一方にお金を入れた袋を固定し、もう一方にメッセージが記入できるようになっている。以上を特徴とするメッセージカード付き祝儀不祝儀袋である。【選択図】図２
2006298475.tif 000002
【特許請求の範囲】
【請求項１】
折りこんだ紙にお金を入れた袋を入れ、メッセージが記入できるようにしたことを特徴とするメッセージカード付き祝儀、不祝儀袋。
【発明の詳細な説明】
【技術分野】
【０００１】  本発明は慶弔事にお金を渡す際にメッセージも同時に添える機能をはたす祝儀不祝儀袋に関するものである。
【背景技術】
【０００２】  従来の祝儀不祝儀袋というのは慶弔事にお金を包んで渡す袋としての使い方しかなかった。
【発明の開示】
【発明が解決しようとする課題】
【０００３】  お金を入れるためだけの袋の役割にとどまっていたため、慶弔事の当事者へ直接渡せない時に、お祝いの言葉やお悔やみの言葉などを伝える手段を持たないものとなっていた。
本発明はこれらの問題点を解決するためになされたものである。
【課題を解決するための手段】
【０００４】  カード形式のようになっており、カードを開き一方にお金を入れた袋を固定し、もう一方にメッセージが記入できるようになっている。以上を特徴とするメッセージカード付き祝儀不祝儀袋である。
【発明の効果】
【０００５】  本発明は慶弔事にお金を渡す際、当事者に直接渡せない時でも心のこもったメッセージを添える事ができる。
【発明を実施するための最良の状態】
【０００６】（イ）固定面（６）を残して紙を折り内側にお金を入れる袋（３）を固定する為の（２）を付ける。
（ロ）（４）はメッセージを記入する部分であり、裏もしくは表面にカードが開かないための固定帯（５）が付いている。
本発明は以上の構成で成り立っている。
本発明を使用する時は大きく二つに折ってある紙（１）の谷側どちらか一方にお金を入れた（３）を（２）によって固定する。
谷側のもう一方にメッセージを記入し閉じる。
（１）が開かないように固定面（６）を折りこみ（５）の固定帯で接着する。
【図面の簡単な説明】
【０００７】
【図１】本発明の表面斜視図
【図２】本発明の斜視図
【符号の説明】
【０００８】  １  本体紙
２  スットパー
３  お金を入れる袋
４  メッセージ記入欄
５  固定帯
６  固定面
【図１】
2006298475.tif 000003
【図２】
2006298475.tif 000004
(57)【要約】      （修正有）【課題】一般的なチューブ容器は使用頻度が増す事で容器内の底部に残留物が流動する。使用する度に内容物を底部から絞り出す作業を行う事を軽減すると共に完全に内容物を押圧させることで底部に流動を防ぎ、使い切ることにある。【解決手段】チューブ容器１内の底部に筒状からなるシリンダー２を設け、内容物を使用した量に応じて底部溶着部より絞具５を機能させることで、シリンダー２を上方へ押圧させる。これにより頻繁な押圧作業を軽減し、更に内容物をシリンダー２で押し上げることで吐出開口部７に至るまで最後まで内容物を使い切る。【選択図】図１
2006298479.tif 000002
【特許請求の範囲】
【請求項１】
円筒状の弾性復元力のあるチューブ容器内に図１のごとく容器内径の肩部４、開口筒部３及び吐出開口部７更には吐出開口部７より内径の大きい吐出開口首部１１と円筒状のシリンダー胴部８及びシリンダーヘッド１２，１３，１４の外径を同じくする自在可能なシリンダーを設け、容器外底部において溶着された６より絞具５を通し、上部に押上げることで容器内のシリンダーを上部にスライドさせ内容物を残留させることなく吐出開口部７に至るまで完全に使い切るチューブ容器。
【請求項２】
請求項１の容器内側にシリンダーを円滑にスライドさせるためのレール１５とシリンダー胴部８に溝１６を設けたチューブ容器。
【発明の詳細な説明】
【技術分野】
【０００１】  本発明は、円筒状の弾性復元力のあるチューブ容器において内容物が容器内で底部に流動することを防ぐ装置に関するものである。
【背景技術】
【０００２】  従来のチューブ容器で使用されているものには練り歯磨を入れたものから化粧品などの高価なものを内容物とするものがあり、容器内の内容物が最後まで残留することを防ぐためには容器の中間や底部から容器自体を絞る事で開口部へ内容物を押し出すが、使用頻度により内容物が減ることで空間が出来、底部に残留の内容物が流動し、使用する度に底部から絞り出す作業を繰り返していた。【０００３】  しかし、チューブ容器自体の開口部を下に、容器を立てながら放置することで内容物を開口部へ流動させることを促すことも可能であるが、チューブ容器は常に立てる事の出来る状態ばかりではなく、横に放置する場合や、鞄等に入れてチューブ容器を保管する場合なども多々あり使用の度に容器を絞り、使用後は再度底部に内容物が流動するのが現状であった。【０００４】  考案の進歩によりチューブ内に流動を防ぐためのチャック機構や、チューブを底部から巻き付ける等の絞機構を有する考案もされてきたが、市販の容器を見る限りそれらの考案に係った市販品は見られず現実的ではないと考えられる。
【発明の開示】
【発明が解決しようとする課題】
【０００５】  チューブ容器の使用頻度により容器内に空間が出来、これに応じた押圧作業を軽減すること及び内容物を吐出開口部に至るまで内容物を全て使い切ることにある。
【課題を解決するための手段】
【０００６】  チューブ容器内に容器内径とシリンダー２の外径を同じくする肩部４と開口筒部３及び吐出開口部７更には吐出開口首部１１と形状を同じくするシリンダーヘッドを有するシリンダーを設け、このシリンダーを使用頻度により上部へ円滑にスライドさせることで内容物を吐出開口部まで吐出させる。
【発明の効果】
【０００７】  本発明で、容器内の内容物をシリンダーにより押し上げることでチューブ容器の肩部４や開口筒部の僅かな内容物まで残留させることなく最後まで完全に内容物を出し切ることが可能であり、従来の頻繁な絞り出す作業も軽減することが利点である。
【発明を実施するための最良の形態】
【０００８】  本発明はチューブ容器内に１５のレールと、これに対応する溝１６をシリンダー胴部８に設けたシリンダー２を設置し、底部の溶着部６より絞具５を通し上部に押し上げることで使用した分量だけ内部に設置した自在可能なシリンダーを円滑に上部に押し上げ、容器内に内容物を残留させないことを実現する。
【実施例】
【０００９】  図１はシリンダーを使用した実施例であって、容器と絞具の断面図である。シリンダー上部はチューブ容器内の肩部４と開口筒部３及び吐出開口部７の左右対象の形態を呈し円筒状容器の内径とシリンダー胴部８及びシリンダーヘッド１２、１３、１４の外径を同じにする機構を有した自在可能なシリンダーである。【００１０】  シリンダー底部は図４のごとくチューブ容器底部に合った形成をなし容器内において無理のない形で形成する。このシリンダーにより、内容物の逆流を防ぐものである。【００１１】  容器内側にはレール１５を設けると共にシリンダー胴部８には１６の溝を設け、これによりシリンダー２が円滑に上部にスライドすることが可能になる。【００１２】  容器底部、溶着部６に絞具５を通し上部へ押し上げることで絞具５を機能させる。絞具５は狭口部１０を下に、広口部９を上に容器底部の溶着部６より通し、容器内のシリンダー２を押圧させるために絞具５を把持し上部へ、内容物を使用した分量だけ押し上げることで内容物を底部に流動することを防ぐ。絞具５は狭口部１０が逆止弁の機能を有しシリンダー底部への移動を防ぐ。【００１３】  押し上げられたシリンダーは容器内で容器の内側に沿って内容物を押し上げる。押し上げられた内容物は開口部に集中することで頻繁な絞り出し作業を軽減する。【００１４】  使用頻度により内容物が極度に減少し容器の肩部４や開口筒部３の付近に至っても容器内側の４、３左右対象の同型を呈するシリンダーヘッドが最後まで内容物を吐出開口部へ押し上げることで、最後まで完全に使い切ることが可能となる。
【産業上の利用可能性】
【００１５】  チューブ容器には大きさや、中身の用途も様々である。しかし、このシリンダーをそれぞれの容器に応じたサイズにより形成することでチューブ容器内の内容物を完全に押しだし、使い切る事で消費者にとっても納得できる容器と言える。
【図面の簡単な説明】
【００１６】
【図１】シリンダーと絞具を実施した使用例で容器の断面図
【図２】シリンダーと絞具を実施した使用例で容器の断面図
【図３】容器使用前のシリンダーの位置及び容器の断面図
【図４】シリンダーの上図、溝１６の図
【図５】絞具の正面、上、下の図及び横の断面図
【符号の説明】
【００１７】  １  チューブ容器
２  シリンダー
３  容器の開口筒部
４  容器の肩部
５  絞具
６  底部溶着部
７  吐出開口部
８  シリンダー胴部
９  絞具の広口部
１０  絞具の狭口部
１１  吐出開口首部
１２  シリンダーヘッド筒部
１３  シリンダーヘッド頭部
１４  シリンダーヘッド肩部
１５  レール
１６  溝
【図１】
2006298479.tif 000003
【図２】
2006298479.tif 000004
【図３】
2006298479.tif 000005
【図４】
2006298479.tif 000006
【図５】
2006298479.tif 000007